(57)【要約】【課題】パケット無線網では従量課金を基本として接続時間や距離に関係なく、常時接続が可能であるが、一日のうちわずか数分しか通信を行わず、その他の時間は待機時間となることが多い。本発明は、パケット無線用データ通信装置を利用する際に、従来にもまして低消費電力を実現できる電源制御方法を提供することにある。【解決手段】パケット無線網用データ通信装置の電源制御方法において、無通信時に本制御装置を休止状態に保って消費電力を極小にするための手段と、起動信号処理手段に起動要求信号を検知して電源制御手段に通知し、休止していたシステムを再起動するための機能を備えることで、休止状態から再起動させるための手段を備える。【選択図】図１
2004180172.tif 000002
【特許請求の範囲】
【請求項１】
パケット無線網用データ通信装置の電源制御方法において、休止状態時に本制御装置の消費電力を極小にするた
めの手段と、休止状態から再起動させるための手段を備えることを特徴とする、パケット無線網用データ通信装置の電源制御方法及
びその制御装置。
【請求項２】
請求項１に記載のパケット無線網用データ通信装置の電源制御方法において、パケット網接続を維持する必要が
無い時間において、本データ通信装置を休止状態に保って消費電力を極小にするための手段として、パケット網接続時に状態を監視
し、休止状態への切替えの判断を行い、電源を自動的に遮断するための手段を備えることを特徴とするパケット無線網データ通信装
置の電源制御方法。
【請求項３】
請求項１に記載の、パケット無線網用データ通信装置の電源制御方法において、本制御装置を休止状態から再起
動させるための手段として、起動要求信号を検知して電源制御部に通知し、休止していたシステムを再起動するための起動信号処理
手段を備えることを特徴とするパケット無線網用データ通信装置の電源制御方法。
【発明の詳細な説明】
【０００１】
【発明が属する技術分野】
本発明は、パケット無線網に計測器や制御機器を接続するためのパケット無線用データ通信装置における電源制御方式、及び消費電
力を極小にするための回路に関する。
【０００２】
【従来の技術】
携帯電話サービスを提供している各社は、携帯電話の他にデータ通信専用サービスも提供している。データ通信専用サービスの特
徴は、一般公衆回線が通話時間に対して課金する方式であるのに対して、パケット通信網を利用して送受信したデータ量に応じて課
金する方式になっているところにある。
【０００３】
遠隔地にある機器の情報収集を行なうため、従来一般公衆回線を利用していたシステムを、このデータ通信サービスのパケット無
線網を利用して、設置構築の面やランニングコストの面で、容易に遠隔保守システムを構築することが可能となった。
【０００４】
保守の対象となる機器に関して、最近ではパケット通信に対応した製品も多くなってきているが、このプロトコルに従っていない
製品も数多く存在しているため、これらを接続するためのプロトコル変換装置を利用するのが一般的にある。
【０００５】
このパケット通信システムで、実際にデータ通信を行う時間はごくわずかで、一日のうち数分というケースが非常に多い。また、
移動体の特性から低消費電力の要求は大きい。
【０００６】
【発明が解決しようとする課題】
パケット通信を行う場合、パケット無線網を提供する会社は従量課金を基本として接続時間や距離に関係なく、常時接続が可能で
あるが、実際の用途としては、一日のうちわずか数分しか通信は行わず、その他の時間は待機時間となる。また、移動体通信機器と
しての要求事項として、バッテリー等の容量に制限のある駆動源を用いるケースが多く、低消費電力の機能は必須である。
【０００７】
一般的に携帯電話は、搭載しているバッテリーを長時間持続させるためにある程度の消費電力への考慮は行っているが、基本的に
は人間が携帯するものであるため、数日毎にバッテリーを充電することを前提とした設計となる。この為、無人システムにおいて
は、更に低消費電力が要求される。
【０００８】
この課題を解決するために、通信が終了した後、ユーザがシステム用途に応じて選択した休止モードに移行して、電源を切断した
状態に限りなく近づけ、低消費電力を実現することを目的とする。
【０００９】
また、パケット無線用データ通信装置等では、その制御のためにマイコンを使用するのが一般的である。マイコンは、休止状態に
変移させる際にはソフトウェア制御で行えるが、再起動の際はリセット信号を一定幅で入力することで休止解除を行うのが一般的で
ある。このリセット信号幅を保証するためにはクロックを使用するが、休止状態においてクロックを入力することが消費電力を浪費する
大きな要因となり、これを削除することを目的とする。
【００１０】
【課題を解決するための手段】
本発明は、パケット無線網用データ通信装置の電源制御方法において、無通信時に本制御装置を休止状態に保って消費電力を極小
にするための手段と、休止状態から再起動させるための手段とを備えることとする。
【００１１】
上記の無通信時に本制御装置を休止状態に保って消費電力を極小にするための手段としては、パケット網接続時、常時状態監視を
行い、回線接続維持の必要性を判断し、回線接続維持の必要が無くなったと判断した際に、電源を自動的に遮断するための手段を備
えることとする。
【００１２】
また、上記の本制御装置を休止状態から再起動させるための手段として、再起動要求信号処理部に、起動要求信号を検知して電源制御部
に通知し、休止していたシステムを再起動するための電子回路を備えることとする。
【００１３】
休止状態とするための手法として、例えば、機器に接続されたＲＳ−２３２Ｃ等のシリアル通信インタフェースの送受信データ線
や制御信号線の監視を行い、一定時間以上の間、送受信データ線に変化が無かった場合や、制御信号がＯＦＦに変化した事を本制御
装置が検知して、本制御装置内の処理を終了させてから休止モードに変移させる方法がある。
【００１４】
また、本パケット通信網用データ通信装置の接続先となるホスト端末等によるデータ転送終了を契機とした切断要求を、本装置が
検知して、本制御装置内の処理を終了させてから休止モードに変移させる方法がある。
【００１５】
また、外部機器の接点情報を監視して、接点がオンの状態の際にはパケット通信網との接続状態を維持し、接点がオフ状態に変移
した際に、本装置が検知して、本制御装置内の処理を終了させてから休止モードに変移させる方法がある。
【００１６】
また、本装置に時計機能を搭載することで、パケット無線網に接続している時間を管理し、データ通信の有無に関わらず、一定の
時間が経過した際に、本制御装置内の処理を終了させてから休止モードに変移させる方法がある。
【００１７】
また、本装置にＧＰＳ等の位置情報を取得できる装置を搭載することで、本装置が指定された範囲内に位置するときに、パケット
無線網との接続を維持し、範囲外に移動したことを契機に、本制御装置内の処理を終了させてから休止モードに変移させる方法があ
る。
【００１８】
また、外部に接続された通信インタフェースや本パケット通信網用データ通信装置の接続先となるホスト端末等から受信したデー
タ形式に、予め休止モード移行用のコマンドを取り決め、本制御装置が休止モード移行要求コマンドを受信したことを契機に、本制
御装置内の処理を終了させてから休止モードに移行させる方法がある。
【００１９】
休止状態となった本制御装置は、必要に応じて休止状態を解除して通常の動作状態に復帰する必要がある。このため、復帰するた
めのトリガを与える必要がある。
【００２０】
復帰の方法として、例えば、機器に接続されたＲＳ−２３２Ｃ等のシリアル通信インタフェースの制御信号線やデータ線の監視を
行い、信号のＯＦＦ状態からＯＮ状態への変化や、データ線の信号レベルの変化等を契機として、再起動要求信号処理部が再起動処理を行
う方法がある。
【００２１】
また、パケット通信網からの着信を待ち、着呼信号を検出した場合は、着信の際の無線モジュール部からの着呼信号の立ち上がり
を契機として、再起動要求信号処理部が再起動処理を行う方法がある。
【００２２】
また、外部からの接点信号を監視し、接点の状態変化が発生した際の信号変化を契機として、再起動要求信号処理部が再起動処理を行う
方法がある。
【００２３】
更に、本装置に、設定した時間によりトリガを発生することができる機能を備えた時計機能を搭載することで、一定間隔で時計から
発生するトリガを契機として、再起動要求信号処理部が再起動処理を行う方法がある。
【発明の実施の形態】
【００２４】
実施方法として、図１におけるパケット通信網用データ通信装置１は、少なくとも本機器の電源制御を行う電源制御部４と再起動
要求信号入力を監視する再起動要求信号処理部５を含み、パケット通信網とのデータ通信処理を行う無線通信部２と外部機器との送受信
データ８の通信処理を行うデータ処理部３とからなり、データ処理部３にてデータ通信中とデータ未通信の状態監視を行う。
【００２５】
データ処理部３は、未通信状態が指定された一定時間を超えた際に、パケット通信網との接続状態を切断状態に切替える処理を行
った後に、電源制御部４に対してシステム休止要求信号を通知する。この信号を受けた電源制御部４は、無線通信部２とデータ処理
部３に対して、電源供給の切断やデータ処理部のスリープコマンドを発行する等の、システムを休止状態とする制御を行う。
【００２６】
これにより、休止状態にあるパケット無線用データ通信装置１を動作状態にするために、外部から入力される信号線の状態を再起
動要求信号処理部５が、休止状態となったデータ処理部に代わり監視を行い、外部機器がデータ８を送信することで、信号線における変
化を検知した際に、電源制御部４に通知を行い、休止状態となっている、無線通信部２とデータ処理部３の再起動処理を行う。
【００２７】
また、図１におけるパケット通信網用データ通信装置１において、少なくとも本機器の電源制御を行う電源制御部４と再起動要求信号を
監視する再起動要求信号処理部５を含み、パケット通信網とのデータ通信処理を行う無線通信部２と外部機器からの信号レベル９を監視
する通信処理を行うデータ処理部３とからなる制御装置の場合、データ処理部３にて、例えば、ＲＳ−２３２Ｃの制御信号線の状態や、外部から入
力される接点情報の監視を行う。
【００２８】
データ処理部は、信号レベル９がオンの状態からオフの状態に変化したことを契機に、パケット通信網との接続状態を切断状態に
切替える処理を行った後に、電源制御部４に対してシステム休止要求信号を通知する。この信号を受けた電源制御部４は、無線通信
部２とデータ処理部３に対して、電源供給の切断やデータ処理部のスリープコマンドを発行する等の、システムが休止状態となる制
御を行う。
【００２９】
これにより、休止状態にあるパケット無線用データ通信装置１を動作状態にするために、外部からの信号レベル９の状態を再
起動要求信号処理部５が休止状態となったデータ処理部に代わり監視を行い、信号レベル９がオフの状態からオンの状態への変化を検知
した際に、電源制御部４に通知を行い、休止状態となっている無線通信部２とデータ処理部３の再起動処理を行う。
【００３０】
また、図１におけるパケット通信網用データ通信装置１において、少なくとも本機器の電源制御を行う電源制御部４と再起動要求信号を
監視する再起動信号処理部５を含み、パケット通信網とのデータ通信処理を行う無線通信部２のデータ及び制御信号を監視する通信
処理を行うデータ処理部３とからなる制御装置の場合、パケット無線網１０を経由してホスト１１に接続されたシステムにおいて、データ処理部は
、ホストとの論理接続状態の監視を行う。
【００３１】
データ処理部３は、ホスト１１からの切断要求コマンドを受け付けた際に、パケット通信網１０との接続状態を切断状態に切替え
る処理を行った後に、電源制御部４に対してシステム休止要求信号を通知する。この信号を受けた電源制御部４は、データ処理部３
に対して、電源供給の切断やデータ処理部のスリープコマンドを発行する等の、システムが休止状態となる制御を行う。
【００３２】
これにより、休止状態にあるパケット無線用データ通信装置１を動作状態にするために、パケット通信網１０からの着信を受
付た際に発生する着呼信号を再起動信号処理部５が休止状態となったデータ処理部に代わり監視を行い、着呼信号が入力された際に
、電源制御部４に通知を行い、休止状態となっているデータ処理部３の再起動処理を行う。
【００３３】
また、図１におけるパケット通信網用データ通信装置１における、少なくとも本機器の電源制御を行う電源制御部４と設定された時間に
トリガと発生する機能を持った時計機能６と再起動要求信号を監視する再起動要求信号処理部５を含み、パケット通信網とのデータ通信
処理を行う無線通信部２と外部機器からの信号レベルを監視する通信処理を行うデータ処理部３とからなる制御装置の場合、データ処理部３は、
時計機能６から出力される休止状態遷移のための信号の監視を行う。
【００３４】
データ処理部３は、時計機能６から出力された休止要求信号を検知し、パケット通信網との接続状態を切断状態に切替える処理を
行った後に、電源制御部４に対してシステム休止要求信号を通知する。この信号を受けた電源制御部４は、無線通信部２とデータ処
理部３に対して、電源供給の切断やデータ処理部のスリープコマンドを発行する等の、システムを休止状態とする制御を行う。
【００３５】
これにより、休止状態にあるパケット無線用データ通信装置１を動作状態にするために、休止前に時計機能６に対して再起動
要求を行う時間を設定し、これにより発生する再起動要求信号を再起動要求信号処理部５が休止状態となったデータ処理部３に代わり監視
を行い、時計機能６からの再起動要求信号が発生した際に、電源制御部４に通知を行い、休止状態となっているデータ処理部３及び無
線通信部２の再起動処理を行う。
【００３６】
また、図１におけるパケット無線網用データ通信装置１において、少なくとも本機器の電源制御を行う電源制御部４とパケット無線網用
データ装置１の現在位置情報を提供するＧＰＳ部７と再起動要求信号を監視する再起動要求信号処理部５を含み、パケット無線網とのデー
タ通信処理を行う無線通信部２と外部機器からの信号レベルを監視する通信処理を行うデータ処理部３とからなる制御装置の場合、データ処理部
３は、ＧＰＳ部７から出力される位置情報により、指定された範囲内に本装置が位置することを監視を行う。
【００３７】
データ処理部３は、ＧＰＳ７から出力される位置情報が設定の範囲外となった際に、パケット通信網との接続状態を切断状態に切
替える処理を行った後に、電源制御部４に対してシステム休止要求信号を通知する。この信号を受けた電源制御部４は、無線通信部
２とデータ処理部３に対して、電源供給の切断やデータ処理部のスリープコマンドを発行する等の、システムを休止状態とする制御
を行う。
【００３８】
休止状態において、消費電力を極小にするためには、図１における電源制御部４と再起動信号処理部５における消費電力を極小に
する必要があるが、これらを実現するためには以下の方法が考えられる。
【００３９】
図２は、再起動信号処理部の実施例を示す。図１で挙げた例を同一の機器で選択可能とするために、起動モードを設定するための
起動モードレジスタ１２と起動要求信号と起動モードレジスタの内容を照合するＡＮＤ回路１３から構成される。
【００４０】
図２における例において、再起動要求トリガとして入力される信号は、ＯＮ／ＯＦＦ信号トリガ１４とデータ信号トリガ１５とモ
デム信号トリガ１６と無線通信部着呼トリガ１７がある。再起動要求トリガとしてモデム信号トリガ１６を利用する場合、起動モー
ドレジスタ２にはモデム信号トリガとのＡＮＤに必要なビットを１とするため、「０１００」が設定される。この設定されたレジス
タ値とそれぞれの入力要求信号が比較され、その結果が再起動要求信号１８として出力される。従って、例においてはデータ信号トリガ１
５やＯＮ／ＯＦＦ信号トリガ１４が入力された場合でも、電源制御部に対して指示を行わず、モデム信号トリガ１６の変化に対してのみ、
電源制御部に対しての指示を行うことができる。
【００４１】
図３は、再起動をデータ処理部に対して行うための実施例を示す。再起動信号処理部から発生する入力信号をフリップフロップ回
路１９のクロック部に入力し、入力信号の変化点によりＱに出力を与える。出力信号は、マイコンに対するリセット信号２２として
与えられる。
【００４２】
出力信号２２は、同時に時定数回路２０に入力される。時定数回路２０は、マイコンの仕様により要求されるリセット信号幅を確
保するのに十分な時定数も持った回路とし、入力された信号は、この時定数に従った遅延を持って時定数回路２０から出力される。
時定数回路から出力された信号は、フリップフロップ回路１９のリセットに入力される。これにより、Ｑから出力されマイコンに対
して出力されていたリセット信号２２が解除され、マイコンは起動状態となる。
【００４３】
以上の回路から、消費電力を要するロジック反転動作は、再起動要求信号が発生した際に唯一発生することとなり、従来のクロッ
クを用いての再起動回路に比べると、消費電量を劇的に削減することが可能となる。
【図面の簡単な説明】
【図１】パケット無線網用データ通信装置の内部構造
【図２】再起動信号処理部回路例
【図３】パケット無線網用データ通信装置において、休止状態から極小の電力で再起動させるための回路図例
【符号の説明】
１    パケット無線網用データ通信装置
２    無線通信部
３    データ処理部
４    電源制御部
５    再起動要求信号部
６    時計機能部
７    ＧＰＳ部
８    データ
９    外部状態
１０  パケット無線網
１１  ホスト
１２  起動モードレジスタ
１３  ＡＮＤ回路
１４  ＯＮ／ＯＦＦ信号トリガ入力
１５  データ信号トリガ入力
１６  モデム信号トリガ入力
１７  無線通信部着呼トリガ入力
１８  再起動要求信号
１９  フリップフロップ回路
２０  遅延回路
２１  起動要求
２２  マイコンリセット
【図１】
2004180172.tif 000003
【図２】
2004180172.tif 000004
【図３】
2004180172.tif 000005